(57)【要約】      （修正有）【課題】特に自動車用補助加熱装置として使用される電気加熱装置であって、少なくとも１つのラジエータエレメント７４と、少なくとも１つのＰＴＣ加熱エレメント７８を有する少なくとも１つの放熱エレメント８１とを備える層状化構造体８０をハウジング２へ容易に取付収納できる電気加熱装置を製造する単純な方法を提供する。【解決手段】電気加熱装置を簡単に取付けるために、本発明は、層状化構造体８０のエレメントが、下部ハウジング構成部材８に張力無しの仕方で挿入されたときに、上述の下部ハウジング構成部材８中に挿入されるディスプレイサー６４により層状化構造体８０へ事前張力を付与する。この目的のために、ディスプレイサー６４は、層状化構造体８０の平面にほぼ直交する方向に下部ハウジング構成部材８中に挿入されるようになっており、かつ取付け位置において、上述の下部ハウジング構成部材８に関して所定位置に固定される。【選択図】    図１
2005280685.tif 000002
【特許請求の範囲】
【請求項１】
自動車用の補助加熱装置として使用可能であって、開放ハウジング（２）を備えた電気加熱装置であって、前記ハウジングは、少なくとも１つのラジエータエレメント（７４）と、少なくとも１つのＰＴＣ加熱エレメント（７８）を有する少なくとも１つの放熱エレメント（８１）を備える層状化構造体（８０）を収納し、前記層状化構造体（８０）に事前張力を付与する少なくとも１つのバネエレメント（８２）を収納し、複数の接点（１６）が、絶縁の仕方で前記ハウジング（２）内に保持され、かつ、少なくとも１つの前記ＰＴＣ加熱エレメント（７８）へ電気的に接続される電気加熱装置であって、
前記解放ハウジング（２）には、下部ハウジング構成部材（８）と少なくとも１つのディスプレイサー（６４）が設けられ、前記ディスプレイサーは、事前張力を加えるために、層状化構造体（８０）の平面にほぼ直角な方向に前記下部ハウジング構成部材（８）中に挿入され、かつ取付け位置において、前記下部ハウジング構成部材（８）に関して所定位置に固定されることを特徴とする電気加熱装置。
【請求項２】
ディスプレイサー（６４）はクサビ形の形状であることを特徴とする請求項１に記載の電気加熱装置。
【請求項３】
ディスプレイサーは、取付け位置において、層状化構造体（８０）の平面へ、かつその中に突出るウエブ（６４）から成ることを特徴とする請求項１または２に記載の電気加熱装置。
【請求項４】
バネエレメント（８２）は、層状化構造体（８０）の少なくとも１つの縁部上に設けられ、およびウエブ（６４）は、挿入の方向に先細になり、かつバネエレメント（８２）と協働する少なくとも１つのランダウン傾斜部（６６）から成ることを特徴とする請求項１〜３のいずれか１項に記載の電気加熱装置。
【請求項５】
取付け位置において、ランダウン傾斜部（６６）から反対に面するウエブの裏面は、下部ハウジング構成部材（８）へ当接することを特徴とする請求項４に記載の電気加熱装置。
【請求項６】
下部ハウジング構成部材（８）上に配置され、かつＰＴＣ加熱エレメント（７８）を事前固定するのに使用される位置決め手段（３８）を備えたことを特徴とする請求項１〜５のいずれか１項に記載の電気加熱装置。
【請求項７】
ディスプレイサー（６４）が上部ハウジング構成部材（１０）上に配置され、その構成部材は、取付け位置において、下部ハウジング構成部材（８）へ接続され、かつ層状化構造体（８０）を上方から取囲むことを特徴とする請求項１〜６のいずれか１項に記載の電気加熱装置。
【請求項８】
下部ハウジング構成部材（８）および／または上部ハウジング構成部材（１０）は、層状化構造体（８０）を横断して延びる補強ストラット（３４、５６）を有することを特徴とする請求項１〜７のいずれか１項に記載の電気加熱装置。
【請求項９】
補強ストラット（３４、５６）は、放熱エレメント（８１）と整合することを特徴とする請求項８に記載の電気加熱装置。
【請求項１０】
補強ストラット（３４、５６）は、放熱エレメント（８１）の幅にほぼ対応する幅を有することを特徴とする請求項９に記載の電気加熱装置。
【請求項１１】
下部ハウジング構成部材（８）と上部ハウジング構成部材（１０）は、係止係合されることを特徴とする請求項１〜１０のいずれか１項に記載の電気加熱装置。
【請求項１２】
取付け位置において、下部ハウジング構成部材（８）と協働する回り止めラグ（６８）は、ディスプレイサー（６４）の自由端部上で形成されることを特徴とする請求項１１に記載の電気加熱装置。
【請求項１３】
取付け位置において、回り止めラグ（６８）は、内側に変位された位置において下部ハウジング構成部材（８）上に形成される回り止め対向面（９０）と協働することを特徴とする請求項１２に記載の電気加熱装置。
【請求項１４】
バネエレメント（８２）は、シートメタル部材から製造され、かつその部材から突出るバネセグメント（８４）を有することを特徴とする請求項１〜１３のいずれか１項に記載の電気加熱装置。
【請求項１５】
バネセグメント（８４）は、挿入の方向に、前記シートメタル部材上に移動自在に保持されることを特徴とする請求項１４に記載の電気加熱装置。
【請求項１６】
バネセグメント（８４）が打抜き部材により形成され、その部材は、挿入の方向に凸状であり、かつその部材の端部はシートメタル帯片へ接続されることを特徴とする請求項１４又は１５に記載の電気加熱装置。
【請求項１７】
少なくとも１つのバネセグメント（８４）は、ＰＴＣ加熱エレメント（７８）の１つの位置毎に設けられることを特徴とする請求項１５又は１６に記載の電気加熱装置。
【請求項１８】
少なくとも２つのバネセグメント（８４）は、ＰＴＣ加熱エレメント（７８）の１つの位置毎に設けられることを特徴とする請求項１７に記載の電気加熱装置。
【請求項１９】
下部ハウジング構成部材（８）がバネ接触面（４６）を形成し、その接触面は、挿入の方向に傾斜され、かつその接触面には、バネセグメント（８４）の部位において、ディスプレイサー（６４）用の対応する通し開口部（４８）が設けられることを特徴とする請求項１〜１８のいずれか１項に記載の電気加熱装置。
【請求項２０】
下部ハウジング構成部材（８）は、上部ハウジング構成部材（１０）上に設けられるディスプレイサー（６４）用の挿入案内手段（４２）を中に形成しており、前記挿入案内手段が挿入方向に延びることを特徴とする請求項１〜１９のいずれか１項に記載の電気加熱装置。
【請求項２１】
下部ハウジング構成部材（８）は、ハウジング（２）の全高の約３／５から約３／４、好ましくは約２／３に達する高さを有することを特徴とする請求項１〜２０のいずれか１項に記載の電気加熱装置。
【請求項２２】
ハウジング（２）は、プラスチック材料から製造され、かつハウジング（２）と一体で形成されるプラグ受容手段（１４）を形成する２つの射出成形部材（１８）から成ることを特徴とする請求項１〜２１のいずれか１項に記載の電気加熱装置。
【請求項２３】
プラグ受容手段（１４）は、層状化構造体（８０）の端面上に設けられること、および層状化構造体（８０）とプラグ受容手段（１４）は、両方の間に、ハウジング構成部材（６，１０）と一体で形成されるフランジセグメント（１２ａ、１２ｂ）により形成される締付フランジ（１２）を設けていることを特徴とする請求項２２に記載の電気加熱装置。
【請求項２４】
自動車用の補助加熱装置として使用され電気加熱装置用であって、層状化構造体（８０）を収納するように機能するハウジングであって、その層状化構造体（８０）は、少なくとも１つのラジエータエレメント（７４）、および少なくとも１つのＰＴＣ加熱エレメント（７８）を有する少なくとも１つの放熱エレメント（８１）を備え、さらに、前記層状化構造体（８０）に事前張力を付与する少なくとも１つのバネエレメント（８２）、およびその少なくとも１つのＰＴＣ加熱エレメント（７８）へ電気的に接続される複数の接点（１６）を備えるハウジングであって、
ハウジング（２）には、下部ハウジング構成部材（８）と少なくとも１つのディスプレイサー（６４）が設けられ、そのディスプレイサーは、事前張力を加えために、層状化構造体（８０）の平面にほぼ直角な方向に前記下部ハウジング構成部材（８）中に挿入され、かつ取付け位置において、前記下部ハウジング構成部材（８）に関して所定位置に固定されることを特徴とするハウジング。
【請求項２５】
請求項２乃至１３および１９乃至２３のいずれか１項に記載の電気加熱装置に用いる請求項２４に記載のハウジング。
【請求項２６】
自動車用の補助加熱装置として使用され電気加熱装置を製造する方法であって、その加熱装置は、下部ハウジング構成部材（８）を備える開放ハウジング（２）と、および前記ハウジング（２）に収納され、かつ少なくとも１つのＰＴＣ加熱エレメント（７８）を有する少なくとも１つの放熱エレメント（８１）とラジエータエレメント（７４）およびバネエレメント（８２）を備える層状化構造体（８０）とから成り、前記層状化構造体（８０）は、バネエレメント（８２）による加えられる事前張力を受けて前記ハウジング（２）内に保持される方法であって、
ラジエータエレメント（７４）と放熱エレメント（８１）を下部ハウジング構成部材（８）中に張力無しに挿入する取付けステップと、ディスプレイサーを下部ハウジング構成部材（８）に挿入することにより層状化構造体（８０）へ事前張力を付与する取付けステップとを含むことを特徴とする電気加熱装置を製造する方法。
【発明の詳細な説明】
【技術分野】
【０００１】
本発明は、特に自動車用補助加熱装置として使用される電気加熱装置に関し、少なくとも１つのラジエータエレメントと、および少なくとも１つのＰＴＣ加熱エレメントを有する少なくとも１つの放熱エレメントとを備える層状化構造体を収納し、さらに上述の層状化構造体へ事前張力付与する少なくとも１つのバネエレメントを収納するハウジングから成り、複数の接点が、絶縁の仕方で上述のハウジング内に保持され、かつその少なくとも１つのＰＴＣ加熱エレメントへ電気的に接続される。
本発明は、加えて、上述の型式の電気加熱装置を製造する方法に関する。
【背景技術】
【０００２】
自動車において、特に、少量の熱エネルギーが生成される新規の燃費最適化内燃機関を有する自動車において、補助電気加熱装置が、車両内部とエンジンを加熱するために使用される。しかしながら、そのような電気加熱装置は、他の目的、たとえば、家庭用装置、特に室内空調装置の分野、および産業用プラントなどにおいて使用されるのに適している。
【０００３】
自動車用のそのような補助電気加熱装置に使用される加熱エレメントは好ましくは、熱伝導手段へ接続される波形リブを有するＰＴＣ加熱エレメントである。ＰＴＣ加熱エレメントにより生成される熱は、波形リブを経て空気ダクトを通して流れる空気へ伝達される。ＰＴＣ加熱エレメントの層状化構造体、ラジエータエレメント、および電源用接触シートから成る全体ユニットは、その加熱ユニットの効率を向上するようにフレームにクランプ止め自在に保持される。上述のクランプ止めの手段により、確実な電気と熱の接触がＰＴＣ加熱エレメント内で達成される。ＰＴＣ加熱エレメント用の対向面は、たとえば、シートメタル帯片が互いに平行に延び、かつＰＴＣ加熱エレメントの１つまたは複数を取囲むように、好ましくは配置されるシートメタル帯片により形成され、上述のシートメタル帯片は、中間のＰＴＣ加熱エレメントと共に放熱エレメントを形成する。この実施態様は好ましくは、波形のシートメタル帯片から形成されるラジエータエレメント、すなわち波形リブラジエータエレメントから成る層状化構造体に使用される。代わりに、ＰＴＣ加熱エレメント用の平坦な面は、アルミニウム押出形材の外面によっても形成でき、その形材は、ラジエータエレメントを形成する。この実施態様の場合に、アルミニウム押出形材の外面は、放熱エレメントの一部分とみなすことができる。両方の代替態様によれば、ＰＴＣ加熱エレメントの接触面は、電気的に伝導性であり、かつハウジング内に保持される接点へ電気的に接続される。第１の実施態様の場合に接点は、シートメタル帯片の露出された端部により通常形成される。
【０００４】
層状化構造体は、好ましくはＵ形断面を有する強固なフレーム内に保持される。上述のフレームは好ましくは、層状化構造体が事前張力付与された状態で、その中に保持されるように設置される。クランプ止めは、代わりに、上述の層状化構造体内に配置されるバネエレメントにより実施される。そのフレームには、バネ力を吸収できるように、好ましくはＵ形断面を有する機械的に特に安定な設計構造が採用される。そのような従来の加熱装置は、ＤＥ−Ａ−１０１２１５６８から知られ、請求項１の一般条項を明示する装置とみなすことができる。
【０００５】
Ｕ形断面（またはＤＥ−Ａ−１０１２１５６８に記載のＣ形断面）を有するそのようなフレームの縦方向バーの最小高さは、クランプ止め力を必要とする場合に約１１ｍｍである。完全な状態での加熱装置を考慮すると、これは少なくとも２２ｍｍの高さとなり、空気ダクトに利用できない。外部クランプ止め手段および外部保持フレームからそれぞれ成るそのような設計構造において、したがって、利用できる部位の高いパーセントを、その部位を通る空気を伝達するのに使用できない。このために、そのような電気加熱装置は、設置高さが非常に低い場合に使用するのは適切でない。
【０００６】
加えて、外部保持フレームおよび外部クランプ止め手段それぞれから成る電気加熱装置が取付けられるとき、フレームのバネ（または複数のバネ）により加えられる圧力に反対方向に作用し、かつ取付けプロセスを妨げる複雑な対策を講じなければならない。
【０００７】
これらの欠点を考慮すれば、従来の保持フレームを有する加熱装置は、最新の加熱／空調ユニットに、特に、これらのユニットが自動車に設置される場合に、益々不適切になってきている。便宜性の高い自動車における多ゾーン空調用の加熱／空調ユニットは、長さは長いが高さが低い構造を有する加熱装置を益々必要としている。
【０００８】
加えて、保持フレームから成る従来設計構造の装置は、特に上述のフレームが金属製の場合に重量が大きい。しかしながら、自動車の全重量に関して、特に低重量の補助電気加熱装置を当該車両に使用できることが望ましい。
【０００９】
金属製保持フレームの他の欠点は、その伝導面に見られる。自動車の安全性を向上するために、金属製表面が益々避けられるので、当該表面を、危険無く、すなわち電気または熱の伝導無しに触ることができる。この目的のために、上述の加熱装置には好ましくは、たとえば、ＤＥ−Ａ−１０１２１５６８に示される加熱装置のように、プラスチック材料のカバーが設けられる。
【００１０】
さらに、製造技術の観点から分かるように、かつ層状化構造体の事前張力付与の配置モードを容易にさせる電気加熱装置の設計構造から特有の問題が生じる。ＤＥ−Ａ−１０１２１５６８によれば、２つの縦方向脚部と２つの横方向脚部の手段により、横方向脚部が、その端部に設けられる取囲部分を備え、かつその部分の手段により、横方向脚部が縦方向脚部の対応する端部を、横方向にかつそれと安全に係合して外方に取囲むように、ハウジングを設置する必要があることが提案される。この実施態様の場合に、縦方向脚部は、それらの脚部に形成される取囲部分に挿入することにより、縦方向脚部の一方に先ず装着され、引続いて、互いに向けてかつ取囲部分の回りに鋏の動きで回動される。このプロセスの途中で、層状化構造体に備えられるバネが圧縮される。縦方向脚部の他の端部は、縦方向脚部の他方に形成される取囲部分にここで挿入される。フレーム状ハウジングは、ここで閉じられ、また層状化構造体が事前張力を受けて保持される。解決策へのこの既知の取組みは、層状化構造体の取付けが事前張力を受けて実施される限り不利である。このために、層状化構造体の個別のエレメントは、取付け作業中に所定位置に確実に保持しなければならない。
【００１１】
ＤＥ１９７０６１９９から知られる解決策への他の取組みの場合、ハウジングは、プラスチック材料の縦方向脚部が内側へ向けて僅かに凸状であるプラスチック材料のフレームにより形成される。このフレーム状ハウジングは、熱可塑性樹脂から形成される。フレーム状ハウジングの内側へ凸状の縦方向脚部は、本発明の意図においてバネエレメントを実現し、かつハウジング内に保持される層状化構造体を圧縮する。この既知の提案された解決策の場合に層状化構造体は、中間のＰＴＣ加熱エレメントと、およびそれに平行に延びるラジエータエレメントとを有するシートメタル帯片から成り、上述のラジエータエレメントが、波形の曲げられたシートメタル帯片により形成される。既知の加熱装置が取付けられるとき、縦方向脚部を、弾性自在に外側へ曲げなければならない。そのときに利用できる取付け空間は、比較的小さいので、取付けを一層難しくする。
【００１２】
ＤＥ１９７０６１９９から知られる解決策への別の取組みによれば、ハウジングが、２部分形フレームにより形成され、そのフレームは、熱可塑性材料から製造され、かつ離間平面を有し、その平面は、横方向脚部に直交し、かつフレームにより形成される平面に直交して延びる。この２つのフレーム構成部分は、横方向脚部の方向に互いに向けて動かされるようになっており、また、取付けが完了したときに、事前張力を受けて２つのフレーム構成部分の横方向脚部セグメントを互いに関して固定するバネエレメントを経て、互いに関して事前張力が付与される。ＤＥ１９７０６１９９に記載される解決策への、この第２の取組みは、実際には受入れできなかった。というのは、フレーム状ハウジングの設計構造が比較的複雑であるからである。加えて、バネエレメントは、ハウジングの外側における引張荷重を受けるので、電気加熱装置の一定の長期耐用年数を確保するために、ＰＴＣ加熱エレメントと接触表面との間の良好な熱接触、特に良好な電気的接触に関して必要な接触圧力を、所要の確度で保証することができない。
【発明の開示】
【発明が解決しようとする課題】
【００１３】
本発明は、当初に明示された型式の加熱装置を提供するという課題に基づいており、その層状化構造体を、ハウジングへ一層容易に取付けできる。加えて本発明は、当初に明示された型式の電気加熱装置を製造する単純な方法を提供するという課題に基づいている。
【課題を解決するための手段】
【００１４】
本発明に従って装置の課題を解決するために、本発明は、当初に明示された電気加熱装置を、ハウジングが、少なくとも１つの事前張力付与エレメントを有する下部ハウジング構成部材から成るようにさらに改良すべきであることを提案し、その事前張力付与エレメントは、事前張力を付与するために、層状化構造体の平面にほぼ直交する方向に上述の下部ハウジング構成部分中に挿入されるようになっており、かつ取付け位置において、上述の下部ハウジング構成部分に関して所定位置に固定されるようになっている。
【００１５】
本発明に従う電気加熱装置において、ハウジングは、層状化構造体を収納するのに適切な下部ハウジング構成部材から成る。層状化構造体の複数の部材、すなわち少なくとも１つの放熱エレメント、および上述の放熱エレメントに平行に延びる１つまたは複数のラジエータエレメントは、事前張力無しに、下部ハウジング構成部材に先ず挿入される。また電気接続部が、ＰＴＣ加熱エレメントと接点との間に設けられる。それらの接点は、必要に応じて、ラジエータエレメントへ平行に延びるシートメタル帯片の一部として、下部ハウジング構成部材へ直接に任意選択的に固定される。層状化構造体は、事前張力無しに、下部ハウジング構成部材へ先ず導入される１つまたは複数のバネエレメントからさらに成ることができる。代わりに、層状化構造体のエレメントに平行に延びるハウジング部分上のハウジングの一部としてバネを設置および／または設けることができる。層状化構造体を形成するエレメントは、ついで、下部ハウジング構成部材内の層状化構造体の平面内で少量の遊びで保持される。層状化構造体の複数の部材は、事前張力を受けてハウジングの部材を保持する必要がなく、層状化構造体の部材をハウジングにより取囲むように、事前取付けの状態で事前張力を受けて層状化構造体の部材を保持する必要がなく、下部ハウジング構成部材に挿入されることが分かる。
【００１６】
層状化構造体の全ての部材が、下部ハウジング構成部材に挿入されたときに、少なくとも１つのディスプレイサーが下部ハウジング構成部材に挿入され、挿入方向は、層状化構造体の平面にほぼ直交する。ディスプレイサーの下部ハウジング構成部材への挿入は、層状化構造体の個別エレメント間の一定量の遊びが無くされるという効果、および層状化構造体の一部とすることができるか、または上述のハウジングの一部分に直接挿入することによりハウジングに収納される、少なくとも１つのバネエレメントが、事前張力を受けるという効果を有する。ディスプレイサーは、ハウジングに関して固定される取付け位置を占めるときに、層状化構造体の平面に関してバネエレメントまたは複数のバネエレメントに事前張力を付与することが分かる。
【００１７】
事前張力付与エレメントの挿入中に層状化構造体の単純な事前張力付与のために、ディスプレイサーは、好ましくはクサビ形状にされる。ディスプレイサーの挿入中に、層状化構造体中に、または層状化構造体とハウジングとの間に貫通する、クサビ形ディスプレイサーの前端部は、ディスプレイサーが、事前張力付与無しに下部ハウジング構成部材に先ず導入できるように寸法が決められる幅を有する。ディスプレイサーのクサビ形状は、挿入移動の終わりにおいて、すなわち、取付け位置に達したときに、層状化構造体が、必要な事前張力を受けて保持されるように、選択される。
【００１８】
層状化構造体の事前張力付与力に反対方向に作用する最も可能性のある当接を提供するために、さらに好ましい実施態様によれば、ディスプレイサーは、ウエブから成る必要があり、そのウエブは、取付け位置において、層状化構造体の平面まで、かつ平面中に突出ることが提案される。本発明に従う加熱装置のこの好ましい実施態様によれば、ディスプレイサーにより導入される事前張力付与力は、上述の層状化構造体のほぼ平面における層状化構造体に導入される。層状化構造体が下部ハウジング構成部材に挿入される事実を考慮して、ディスプレイサーにより導入される事前張力付与力は、下部ハウジング構成部材により確実に反対方向に作用され、かつ確実な係合により保持される。このために、層状化構造体の事前張力は、低下などにより緩むことがある危険が無く、電気加熱装置を長期使用の場合でも危険は無い。
【００１９】
本発明の他の好ましい実施態様によれば、バネエレメントは、層状化構造体の少なくとも１つの縁部に設けられ、またウエブは、挿入の方向に先細になり、かつバネエレメントと協働する少なくとも１つのランダウン傾斜部から成る。この実施態様により、層状化構造体を形成する構成部材、すなわちラジエータエレメントと放熱エレメントの平面平行な配置ができる。ハウジングの縦方向に延びるこれらのエレメントは、ほぼ方形の断面形状を有する。この好ましい実施態様により特に、バネエレメントが、対向する接触面の平面平行の配置からの偏りを補償でき、上述の偏りは、ディスプレイサーのクサビ形状により生じる。この好ましい実施態様は、自体が加熱作用に寄与しないバネエレメントが、層状化構造体の縁部上に配置され、かつハウジング内に完全に、または部分的に収納できるという利点をさらに有する。このために、好ましいさらなる改良により、電気加熱装置のコンパクトな設計構造を実現でき、またこれは、加熱装置が、限定された空間内に、たとえば、シート内に、または後部コンパートメント通気用の自動車のＨピラー内、またはヘッドレストの部位内に使用されるときに特に好都合である。
【００２０】
層状化構造体に導入される事前張力に最も可能性のある伝達に関して、ランダウン傾斜部から反対に面するウエブ裏面は、取付け位置において、好ましくは下部ハウジング構成部材に当接する必要がある。
【００２１】
ＰＴＣ加熱エレメントの正確な位置決めのために、かつ縦方向に、放熱エレメント上に交互に配置される複数のＰＴＣ加熱エレメントの安全な絶縁に関して、位置決め手段を、好ましくは、下部ハウジング構成部材上に配置し、かつＰＴＣ加熱エレメント（または複数のエレメント）を事前取付けするのに使用される必要がある。
【００２２】
層状化構造体をハウジング内に拘束自在に固定するために、本発明の別の好ましい実施態様によれば、ディスプレイサーを、層状化構造体を上方から取囲む上部ハウジング構成部材上に配置する必要があることが提案される。層状化構造体を上方から取囲む上部ハウジング構成部材は、ハウジング構成部材から反対に面する上面の上で層状化構造体の全てのエレメントまたは個別のエレメントに係合する。層状化構造体の下面は好ましくは、１つまたは複数の開口部が設けられるベース上に当接する。この好ましい実施態様に基づいて、層状化構造体は、その上部と下部の構成部材間でハウジング内に拘束自在に保持かつ位置決めされる。ハウジングの縦方向側面をできるだけ強固に設置するために、下部ハウジング構成部材および／または上部ハウジング構成部材は好ましくは、層状化構造体を横断して延びる補強ストラットを、その上に設けておく必要がある。これらの補強ストラットは好ましくは、取付け位置において、層状化構造体のエレメントの端面上に当接し、かつこれらの端面を所定位置に固定する。
【００２３】
空気を加熱して、できるだけ妨害されないようにラジエータエレメントに通過させるために、補強ストラットをさらに、好ましい実施態様に従って放熱エレメントと整合させる必要がある。したがって、放熱エレメントに隣接して設けられるラジエータエレメントは、下部ハウジング構成部材と上部ハウジング構成部材に形成される空気通し開口部に関して露出されることになる。補強ストラットが放熱エレメントの幅にほぼ対応する幅を有する事実により、本発明の他の好ましい実施態様に従って提案されるように、電気加熱装置を通る空気の妨害されない流れを、依然さらに改良できる。上述の好ましい実施態様によれば、上述の補強ストラップは、ラジエータエレメントの縦方向にだけ延びる。しかしながら、本発明に従う加熱装置が特に強力で大型の加熱装置として設置されるならば、補強ストラップは、下部と上部のハウジング構成部材に形成される開口部を横断する格子の形態で延びることもできる。
【００２４】
取付けをできるだけ単純にするために、本発明の他の好ましい実施態様は、下部ハウジング構成部材と上部ハウジング構成部材を係止係合にする必要があることを提案する。好都合な実施態様によれば、かつ係止係合を形成するエレメントの最も可能性のある解放力に関して、取付け位置においてハウジングと協働する回り止めラグが、ディスプレイサーの自由端部に形成される。できるだけ平滑である外部接触面を得るために、回り止めラグは、取付け位置においてハウジングに収納される。これを達成するために、本発明の好ましいさらに改良されたものは、回り止めラグが取付け位置において上に当接する対向面を、内側に変位した位置において下部ハウジング構成部材上に形成する必要があることを提案する。
【００２５】
電気加熱装置の製造コストの削減を目的とする好都合な実施態様によれば、自体から突出るバネセグメントを有するバネエレメントをシートメタル部材から製造する必要があることを提案する。そのようなバネエレメントは、打抜きの手段により妥当な価格で製造できる。
【００２６】
ディスプレイサーが導入されるときに層状化構造体のエレメントの好ましくない変位を防止するために、他の好ましい実施態様によれば、バネセグメントが挿入の方向に移動自在であるようにバネセグメントを上述のシートメタル部材上に保持する必要があることが提案される。この実施態様の場合に、バネの事前張力付与の間、すなわちディスプレイサーの下部ハウジング構成部材への挿入の間に生じたバネ移動距離を、挿入の方向に補償できる。上述の要件は、打抜きされた部材により形成されるバネセグメントを有するバネエレメントにより好都合に満たされ、その部材は、挿入の方向に凸状であり、またその部材の一端部がシートメタル帯片へ接続される。バネセグメントは、バネエレメントと一体で形成され、そのバネエレメントを、単純な打抜きにより妥当な価格で製造でき、かつ一体の構成部材であるので、取扱と位置決の作業を殆ど要することなくハウジングに挿入できる。
【００２７】
ＰＴＣ加熱エレメントとその隣接する接触面との間に良好な部位接触と良好接触圧力を得るために、本発明の他の好ましい実施態様は、少なくとも１つのバネセグメントを、ＰＴＣ加熱エレメントのそれぞれの位置に設ける必要があることを提案する。さらに、バネ力を増加するために、ＰＴＣ加熱エレメントのそれぞれの位置に少なくとも２つのバネセグメントを設けるのが好都合であると判明した。
【００２８】
層状化構造体を形成するエレメントの挿入と、およびディスプレイサーの挿入によるそれらのエレメントの引続く張力付与とは、挿入の方向にハウジングの内側へ向けて傾斜するように下部ハウジング構成部材上に形成されるバネ接触面により一層容易になる。この設計構造に基づいて、層状化構造体を形成するエレメントを先ずハウジング中に挿入でき、かつバネをバネ接触面に接触させて上述のバネを挿入中、ハウジング内の層状化構造体の遊びの残りの量をそれまでに減少できる。というのは、傾斜したバネ接触面により、バネエレメントが、下部ハウジング構成部材への挿入中に層状化構造体へ向けて既に動かされるからである。ディスプレイサーは好ましくは、層状化構造体から反対に面するバネ側で、バネとハウジングの壁との間に挿入され、かつバネ接触面に形成される通し開口部を通して、対応するバネセグメントに押付けられる。この好ましい実施態様によれば、バネセグメントの個別のセグメントは、当該バネセグメントに付随するディスプレイサーにより層状化構造体へ押付けられるので、達成される全接触圧力は、比較的高い。
【００２９】
電気加熱装置の製造における取付けエラーを避けるために、本発明の別の好ましい実施態様によれば、下部ハウジング構成部材は、その中に挿入案内手段を形成しておく必要があることを提案する。これらの挿入案内手段は、挿入の方向に延び、また下部ハウジング構成部材は、その中に、上部ハウジング構成部材に設けられるそれぞれのディスプレイサー用の相補的な挿入案内手段を形成している。取付け中、ディスプレイサーの下部ハウジング構成部材中への正確な挿入を保証するように、対応するディスプレイサーを、それに付随する挿入案内手段と整合させるだけでよい。
【００３０】
取付けに関する限り、下部ハウジング構成部材を、その高さがハウジングの全高の約６０乃至７５％に対応するように設置するのが好都合であると判明した。下部ハウジング構成部材のこの設計構造は、十分な高さを提供し、その結果、層状化構造体を取囲む横方向表面を有する十分に大きいフレームを提供するので、ディスプレイサーが貫通するとき、すなわちハウジングが未だ完全に取付けられてないとき、層状化構造体の圧縮中に、下部ハウジング構成部材は、上述の層状化構造体に確実な当接をそれまで提供することになる。実際のテストによれば、ハウジングの全高の約２／３を占める下部ハウジング構成部材の高さが特に好都合であることが判明している。
【００３１】
価格ができるだけ中庸である電気加熱装置の設計構造を得るために、本発明の好ましい実施態様は、ハウジングは、射出成形の手段により製造される２つのハウジング構成部材から成る必要があることを提案する。この好ましい実施態様によれば、ハウジングは、２つのハウジング構成部材、すなわち上部と下部のハウジング構成部材から形成される。他のハウジング構成部材は、電気加熱装置の取付け作業中に、容易な取付けのために、不要にされる。これらの２つのハウジング構成部材は、取付けられるとき、ハウジングと一体で形成されるプラグ受容手段を形成する。このプラグ受容手段を第１または第２のハウジング構成部材上に排他的に設けることができるが、その対応する部材を、両方のハウジング構成部材上にも設けることができる。
【００３２】
電気加熱装置を容易に取付けるために、本発明の他の好ましい実施態様によれば、プラグ受容手段を層状化構造体の端面に設ける必要があること、および層状化構造体とプラグ受容手段が、それらの間に、ハウジング構成部材と一体で形成されるフランジセグメントにより形成される締付フランジを設けておく必要があることを、さらに提案する。
【００３３】
本発明は、請求項２４に記載の上述の型式の電気加熱装置用のハウジングをさらに提供する。
【００３４】
さらに本発明は、電気加熱装置を製造する方法を提案する。本発明に従う方法は、層状化構造体を形成する部材、すなわち少なくとも１つの放熱エレメントと少なくとも１つのラジエータエレメントを、下部ハウジング構成部材中に事前張力無しに先ず挿入するステップから成る。下部ハウジング構成部材に収納されるこの層状化構造体は、ディスプレイサーを下部ハウジング構成部材に挿入することにより、事前張力が付与される。この事前張力は、バネエレメントが層状化構造体の構成部材と共に下部ハウジング構成部材に挿入されることで達成でき、上述のバネエレメントは、上述の下部ハウジング構成部材に事前張力無しに先ず載置され、ついでディスプレイサーの挿入中に事前張力が付与される。代わりに、層状化構造体に事前張力を付与するように、ディスプレイサーの挿入により縦方向脚部自体を、すなわちハウジングの部材を弾性自在に変形することもできる。またこの変更態様の場合に、層状化構造体のエレメントは、事前張力無しに挿入され、すなわちＤＥ１９７０６１９９に開示される教示と対照的に、ハウジングは、事前張力を受けない。
【００３５】
本発明の別の好都合な実施態様は、従属請求項の内容を表現する。
【発明を実施するための最良の形態】
【００３６】
以下において、本発明の好ましい実施態様を、図面を詳細に参照して説明する。
【００３７】
図１には、本発明に従う電気加熱装置の実施態様の透視図が示され、その装置はハウジング２から成り、そのハウジングは、その側面それぞれに向けて３つの開口部４を形成し、その開口部において、上述のハウジングに収納されるラジエータエレメント６が露出される。ハウジング２は、下部ハウジング構成部材８と上部ハウジング構成部材１０から構成され、それらの構成部材は、ほぼ箱状構成部材を形成するようにラジエータエレメントの部位において結合される。上述のほぼ箱状ハウジング２の端面の１つには、締付フランジ１２が設けられており、そのフランジは、その一方の側面で上述のほぼ箱状ハウジング２と直接に接し、かつその他方の側面でプラグ受容手段１４を担持する。上述のプラグ受容手段１４において、接点１６が露出される。プラグ受容手段１４と締付フランジ１２は、２つのセグメントａ、ｂから構成され、それらのセグメントが、上部ハウジング構成部材１０および下部ハウジング構成部材８と一体でそれぞれ形成される。それぞれのハウジング構成部材８、１０は、対応する締付フランジセグメント１２ａ、１２ｂおよびプラグ受容手段セグメント１４ａ、１４ｂと共に、プラスチック材料から製造される射出成形部材１８を形成する。以下で詳細に説明するように、射出成形部材１８は、回り止め接続部により、互いに関して変位に抗するように係止される。図１は、プラグ受容手段セグメント１４ａ上に形成される係止掛け具２０、およびプラグ受容手段セグメント１４ｂ上に形成され、かつ上述の係止掛け具と係合する係止フランジ２２を示す。
【００３８】
図２は、図１に示される実施態様の下部ハウジング構成部材８を示す。下部ハウジング構成部材は、方形の基本的形状を有するほぼトラフ状であり、かつ２つの縦方向脚部２４ａ、２４ｂ、および上述の縦方向脚部に対して直角に延びる２つの横方向脚部２６ａ、２６ｂから成る。フランジ側横方向脚部２６ｂには、シートメタル帯片３０ａ、３０ｂ、３０ｃを収納する複数の開口部２８が設けられ、それらの帯片は、接点１６を形成し、かつ図３で見ることができ、またこれらのシートメタル帯片を以下で詳細に検討する。
【００３９】
下部ハウジング構成部材８の下側に設けられるベース３２が、その上に３つの開口部４を形成しており、それらの開口部は、縦方向脚部２４ａ、２４ｂに平行して延びる補強ストラット３４により形成される。補強ストラット３４は、それらの厚さがベース３２のものに対応するように設置され、かつ下部ハウジング構成部材８の下面上の２つの横方向脚部２６ａ、２６ｂを相互接続する。ベース３２と補強ストラット３４は、下部ハウジング構成部材８の内部へ向けて、以下で詳細に説明する（図３参照）層状化構造体８０用の表面と接触する。補強ストラット３４の縦方向に、プレート状位置決め手段３８が、上述の補強ストラット３４から突出し、上述の位置決め手段３８は、縦方向脚部に平行に延び、かつ面取りされた端部を有するので、それらの端部が、対向する位置決め手段３８と共に、層状化構造体８０が組立てられたときに、先細受容スロット４０を形成する。プレート状位置決め手段３８は、縦方向と横方向の脚部２４、１８により形成されるフレームの上部縁部を越えて突出る。
【００４０】
縦方向脚部２４ａ、２４ｂは、横方向脚部２６よりも幅が広いように設置され、かつ２つの脚部から成り、それらの脚部は、互いに平行に延び、かつ挿入案内手段４２を形成するようにハニカム構造体の形成後にウエブを経て相互接続される。上述の挿入案内手段４２には上部開口部が設けられ、それらの開口部は、縦方向脚部２４の上面に位置決めされ、かつ引込漏斗状部４４を形成するように切頭円錐状に幅が増加する。下部ハウジング構成部材８の内側へ向けて露出される縦方向脚部２４ａの内面は、バネ接触面４６を形成する。このバネ接触面４６は、他の縦方向脚部２４ｂの内面に対向して斜角で延び、かつ通し開口部４８を形成するように挿入案内手段４２それぞれの部位においてＵ形に切断されて自由になっている。縦方向脚部２４ｂには、その上に複数の接触ウエブ３６がさらに形成されており、それらのウエブは、上述の縦方向脚部２４ｂの内面を越えて延び、かつ同一レベル上で下部ハウジング構成部材８中に突出る。
【００４１】
図３は、図２に従う透視図に対応する上部ハウジング構成部材１０の図を示す。上部ハウジング構成部材１０には、フレーム状構造体が設けられ、その構造体は、高さが、下部ハウジング構成部材８の高さよりも低く、かつ２つの縦方向ウエブ５０ａ、５０ｂにより、および上述の縦方向ウエブに対して直角に配置される横方向ウエブ５２ａ、５２ｂにより形成される。上部ハウジング構成部材の縦方向と横方向のウエブ５０、５２の高さは、示される実施態様において、ハウジング２の全高の３分の１を占め、また下部ハウジング構成部材８の対応する縦方向と横方向の脚部２４、２６の高さは、上述の全高の約３分の２を占める。上部ハウジング構成部材１０にはベース５４が設けられ、そのベースは、３つの開口部４、およびこれらの開口部間に延びる補強ストラット５６を有するように形成され、かつ下部ハウジング構成部材８のベース３２にほぼ対応する。
【００４２】
７つの回り止め凸縁部６０が、周辺に延びる接触面５８を形成する縦方向と横方向のウエブ５０、５２の表面から突出し、上述の回り止め凸縁部６０は、横方向ウエブ５０ｂの部位において突出し、かつ縦方向と横方向に先細である自由端部を有し、回り止め凸縁部の頂部が、その外側上端において、回り止め凸縁部の外面に形成される回り止めラグ６２と接合する。上部ハウジング構成部材１０の他の縦方向ウエブ５０ａが、その上に７つのウエブ６４を形成しており、ウエブ６４は、上述の縦方向ウエブを越えて突出し、かつその内面上に、上部ハウジング構成部材のベース５４に向けて幅が増加する対応するランダウン傾斜部６６を形成する。ランダウン傾斜部６６は、下部ハウジング構成部材の通し開口部４８の幅よりも僅かに小さい幅を有する。またウエブ６４は、その自由端部において縦方向と横方向に先細であり、および回り止め凸縁部６０と同様に、その外面に、図３では見ることができない回り止めラグ６８を形成する。これらの回り止めラグ６８は、図５と６において明確に目視でき、またこれらの図において、ウエブ６４が、回り止め凸縁部６０と同一の長さを有する接触面５８を越えて突出すのを見ることができる。ウエブ６４と回り止め凸縁部６０は、接触面５８に対して直角に延びる平坦な裏面７０、７２を有する。
【００４３】
特に図４乃至６を参照して、それらの図に示される実施態様がどのようにして取付けられるかを以下に説明する。
【００４４】
先ず第１に、下部ハウジング構成部材は、その中に、曲りシートメタル帯片７２ａ乃至７２ｃを挿入している。下部ハウジング構成部材８は、その中に、本発明の場合に波形アルミニウムシートメタル帯片から形成される波形リブラジエータエレメント７４も挿入している。これらのラジエータエレメント７４が、先行する製造ステップにおいてラジエータシートメタル帯片７６へ接続されており、上述のシートメタル帯片７６は、Ｕ形断面を有し、かつその端面においてラジエータエレメント７４を取囲む。開口部４の１つに付随するそれぞれの受容手段が、その中に、付随するラジエータシートメタル帯片７６およびシートメタル帯片７２と共に、ラジエータエレメント７４を挿入している。その自由端部が、プラグ受容手段１４がシートメタル帯片３０ａ乃至３０ｃを形成するその手段の部位において露出されるように、シートメタル帯片７２は、その端部において曲げられる。ラジエータシートメタル帯片７６の長さは、下部ハウジング構成部材８においてラジエータエレメント７４の変位が小さい場合でも、上述のラジエータシートメタル帯片７６が、横方向ウエブ２６ｂへ平行にそのウエブの部位において延びるシートメタル帯片７２ａ乃至７２ｄと接触することができないように、選択される。
【００４５】
ラジエータエレメント７４、およびシートメタル帯片７２とラジエータシートメタル帯片７６が、下部ハウジング構成部材８に挿入されたとき、図４に示されるＰＴＣ加熱エレメント７８は、位置決め手段３８と、平行に延びるシートメタル帯片７２、７６との間に形成される受容スロット４０中に挿入される。ＰＴＣ加熱エレメント７８は、ウエブ状位置決め手段３８よりも大きい厚さを有する。ラジエータエレメント７４およびシートメタル帯片７２、７６は、この時点で、一定量の遊びを有する下部ハウジング構成部材８に収納されるので、ＰＴＣ加熱エレメントを設置するに足る空間を形成するように横方向に変位できる。位置決め手段３８は、取付けの目的のために必要な、シートメタル帯片７２、７６と、ラジエータエレメント７４との横方向移動を妨害しないように、下部ハウジング構成部材８上に配置される。全ＰＴＣ加熱エレメント７８が、平行に延びるシートメタル帯片７２，７６間で、受容スロット４０中に挿入されたとき、下部ハウジング構成部材８は、その中に、ＰＴＣ加熱エレメント７８、ラジエータエレメント７４、およびシートメタル帯片７２とラジエータシートメタル帯片７６とから成る層状化構造体８０を収納する。この層状化構造体８０は、事前張力無しに下部ハウジング構成部材８内に保持される。上述の層状化構造体において、その間に配置されるシートメタル帯片７２、７６は、ＰＴＣ加熱エレメント７８と共に、放熱エレメント８１を形成する。図４に示されるバネエレメント８２が、ここで縦方向脚部２４に平行に配向され、かつ層状化構造体８０の外面とバネ接触面４６との間で下部ハウジング構成部材８に置かれる。バネ接触面４６が層状化構造体８０へ向けて傾斜される事実に鑑みて、バネエレメント８２用の受容空間が形成され、上述の受容空間は、下部ハウジング構成部材８のベース３２へ向けて先細になり、かつバネエレメント８２の挿入を容易にするが、上述のバネエレメント８２は、挿入動作の最後において層状化構造体８０へかなり近接してそれまでに位置決めされている。
【００４６】
図４に示される図から分かるように、バネエレメント８２は、打抜きの手段により上に形成されるウエブ６４の数に対応する数の複数のバネセグメント８４を有するシートメタル帯片により形成される。個別のバネセグメント８４は、層状化構造体８０へ向けて凸状である。上述のバネセグメント８４は、そのベース側下面で、バネエレメント８２のシートメタル帯片へしっかりと接続される。バネセグメント８４は、反対側上面で、切断されて自由になっている。これにより、バネセグメント８４は、全ての構成部材が下部ハウジング構成部材８に挿入される方向に、すなわち層状化構造体８０の平面に直角な方向に移動できる。
【００４７】
ここで、上部ハウジング構成部材が図５に示されるように位置決めされ、この位置において、回り止め凸縁部６０とウエブ６４は、それらに付随する挿入案内手段４２と整合される。ウエブ６４と回り止め凸縁部６０は、ここで、層状化構造体８０の平面に直交する方向に下部ハウジング構成部材８に挿入される。このプロセス中に、回り止めラグ６２、６８の面取りされた表面が、引込漏斗状部４４の外側へ傾斜した表面へ先ず接触する。回り止め凸縁部６０とウエブ６４は、このようにして縦方向ウエブ５０に関して弾性自在に事前張力が付与される。さらに、バネエレメント８２の上部曲がり端部は、ランダウン傾斜部６６上を摺動するので、下部ハウジング構成部材のベース上に形成されるサポート８６の回りに層状化構造体８０へ向けて回動される。この回動により、個別のバネセグメント８４は、本発明の場合にシートメタル帯片７２ｃにより形成される層状化構造体８０の外側面と接触する。この挿入動作が続けられるとき、バネエレメント８２は、サポート８６の回りにさらに回動されるので、層状化構造体８０内の残りの隙間が、先ず閉じられ、ついで層状化構造体８０の個別のエレメントが所定部位に導かれ互いに接触する。ついで層状化構造体は、接触ウエブ３６上の縦方向脚部に当接する。バネエレメント６２により加えられる圧力は、この接触ウエブ３６を経て下部ハウジング構成部材８により反対方向に作用される。ウエブ６４の挿入動作が続くとき、バネエレメントは、サポート８６の回りにさらに回動される。層状化構造体８０の外面と既に接触しているバネセグメント８４は、この回動中にシートメタル帯片へ向けて弾性自在に事前張力を付与される。この挿入移動、すなわち、それにより上部ハウジング構成部材１０が下部ハウジング構成部材８上に押される移動は、上部ハウジング構成部材の接触面５８が、上述の上部ハウジング構成部材１０上に形成される対応する対向面８８に当接するときに終了する（図６参照）。この挿入動作の最後において、回り止めラグ６２、６８が、回り止め対向面９０を越えて動かされており、その対向面は、挿入案内手段４２に対して直角に配向され、かつ上述の挿入案内手段４２中に開放する。ウエブ６４と回り止め凸縁部６０へ加えられる弾性張力が、この移動の途中で緩められている。ウエブ６４と回り止め凸縁部６０は、下部ハウジング構成部材８と上部ハウジング構成部材１０との間に係止接続を形成するように、外方へ回動されている。
【００４８】
ここで、達した取付け位置において、バネエレメント８２の上端部は、ベース５４とランダウン傾斜部６６との間の転移部に当接する。それぞれのランダウン傾斜部６６は、バネ接触面４６に形成される通し開口部４８内に位置決めされる。それぞれのランダウン傾斜部６６は、層状化構造体８０に抗して個別のバネセグメント８４へ事前張力を付与する。バネセグメント８４とウエブ６４は、縦方向脚部２４の全長にわたり配列されるように配置されるので、層状化構造体８０の全長にわたり均一な事前張力が得られることになる。層状化構造体８０へ加えられた事前張力は、裏面７０と挿入案内手段４２の部位における縦方向脚部２４との間の接触によりバネ側で反対方向に作用され、ついでハウジング２に導かれる。取付け位置に保持されるウエブ６４により事前張力が付与される層状化構造体は、上述のウエブ６４の挿入により、ここで下部ハウジング構成部材８における事前張力を受けて保持される。下部ハウジング構成部材の上端部は、上部ハウジング構成部材１０のベース５４により覆われるので、層状化構造体８０のエレメントが、ハウジング２内に拘束自在に収納される。ベース５４の表面は、位置決め手段３８の端面上に当接する。またシートメタル帯片７２とラジエータシートメタル帯片７６との端面は、下部と上部のハウジング構成部材８、１０のベース３２と５４の対向する面に当接するか、またはこれらの面と密接離間する状態で、これらの面に関して所定位置に固定される。
【００４９】
本発明は図示される実施態様に限定されない。たとえば、バネエレメントを、ハウジング２の一体の構成部材として、特に、縦方向脚部２４と縦方向ウエブ５０との一体の構成部材として形成することを想像できる。加えて、製造技術の観点から、バネエレメントを、下部ハウジング構成部材８または上部ハウジング構成部材１０と一体で形成される構成部材として実現するのが好ましいことがあり、上述のハウジング構成部材は、射出成形の手段により製造される。さらに、ランダウン傾斜部を有するウエブの代わりに、平坦な凸縁部を、上部ハウジング構成部材上に、または下部ハウジング構成部材へ接続されるようになっている他の部材上に形成することを想像でき、上述の平坦な凸縁部は、層状化構造体へほぼ直交する方向に下部ハウジング構成部材内に導入されて、層状化構造体に隣接して横方向に形成されるクサビ形対向面と協働する。ディスプレイサーの挿入による層状化構造体の弾性事前張力付与は、原則的に、層状化構造体のエレメント間の任意の箇所で生じる。しかしながら、図に示される実施態様は、加熱装置が比較的コンパクトな設計構造を有し、かつバネエレメント８２がハウジング２の境界部位に設けられる限り好都合であり、そこにおいて、広い幅の縁部は、いかなる場合でも、電気加熱エレメントを空気ダクトに設置する接触面として設ける必要がある。図示される実施態様において、補強ストラット３４と５６の幅が、個別の放熱エレメント８１の幅にほぼ対応し、そのエレメントの幅それぞれは、互いに順次に配置されるＰＴＣ加熱エレメント７８により、かつその上に当接するシートメタル帯片７２と７６により形成される。図６に示される実施態様において、左側の放熱エレメント８１は、ラジエータシートメタル帯片７６、２つのＰＴＣ加熱エレメント７８およびシートメタル帯片７２により形成される。右側に示される放熱エレメント８１は、中間のＰＴＣ加熱エレメント７８を有する２つのラジエータシートメタル帯片７６から成る。
【００５０】
図面に示される実施態様は、それへ接点１６を経て電圧を印加することにより従来の仕方で作動され、たとえば、中間シートメタル帯片３０ｂを接地できる一方、シートメタル帯片３０ａ、３０ｃが、制御ユニットを経て電圧源へ接続される。電圧を印加することにより、シートメタル帯片７２ｂと外側シートメタル帯片７２ｃとの間に位置する２つのラジエータエレメントを、放熱エレメント８１により選択的に加熱できる。電圧がシートメタル帯片７２ａとシートメタル帯片７２ｂとの間に印加される時に、少量の熱が得られる。この場合、放熱エレメント８１により生成される熱は、ラジエータエレメント７４を経て、加熱装置を通過する空気へ伝達される。電圧がシートメタル帯片３０ａ、３０ｃの両方へ印加されると、大量の熱が放出される。
【図面の簡単な説明】
【００５１】
【図１】電気加熱装置の実施態様の透視図を示す。
【図２】図１に示される実施態様の下部ハウジング構成部材の透視平面図を示す。
【図３】図１に示される実施態様の上部ハウジング構成部材の透視平面図を示す。
【図４】本発明に従う加熱装置の基本的なエレメントを有する図１に示される実施態様の取付け中の拡大図を示す。
【図５】実施態様の取付け中、図１に示される代表例に記載される線IV−IVに沿う縦方向断面図を示す。
【図６】取付けが終了したとき、図５に従う断面図を示す。
【符号の説明】
【００５２】
２      ハウジング
４      開口部
６      ラジエータエレメント
８      下部ハウジング構成部材
１０    上部ハウジング構成部材
１２    締付フランジ
１２ａ  締付フランジセグメント
１２ｂ  締付フランジセグメント
１４    プラグ受容手段
１４ａ  プラグ受容手段セグメント
１４ｂ  プラグ受容手段セグメント
１６    接点
１８    射出成形部材
２０    係止掛け具
２２    係止フランジ
２４    縦方向脚部
２６    横方向脚部
２８    開口部
３０    シートメタル帯片
３２    ベース
３４    補強ストラット
３６    接触ウエブ
３８    位置決め手段
４０    受容スロット  
４２    挿入案内手段
４４    引込漏斗状部
４６    バネ接触面
４８    通し開口部
５０    縦方向ウエブ
５２    横方向ウエブ
５４    ベース
５６    補強ストラット
５８    接触面
６０    回り止め凸縁部
６２    回り止めラグ
６４    ウエブ
６６    ランダウン傾斜部
６８    回り止めラグ
７０    裏面
７２    シートメタル帯片
７４    ラジエータエレメント
７６    ラジエータシートメタル帯片
７８    ＰＴＣ加熱エレメント
８０    層状化構造体
８１    放熱エレメント
８２    バネエレメント
８４    バネエレメント
８６    サポート
８８    対向面
９０    回り止め対向面
【図１】
2005280685.tif 000003
【図２】
2005280685.tif 000004
【図３】
2005280685.tif 000005
【図４】
2005280685.tif 000006
【図５】
2005280685.tif 000007
【図６】
2005280685.tif 000008
【外国語明細書】
2005280685.tif 000009
2005280685.tif 000010
2005280685.tif 000011
2005280685.tif 000012
2005280685.tif 000013
2005280685.tif 000014
2005280685.tif 000015
2005280685.tif 000016
2005280685.tif 000017
2005280685.tif 000018
2005280685.tif 000019
2005280685.tif 000020
2005280685.tif 000021
2005280685.tif 000022
2005280685.tif 000023
2005280685.tif 000024
2005280685.tif 000025
2005280685.tif 000026
2005280685.tif 000027
2005280685.tif 000028
2005280685.tif 000029
2005280685.tif 000030
2005280685.tif 000031
2005280685.tif 000032
2005280685.tif 000033
【図１】
2005280685.tif 000034
【図２】
2005280685.tif 000035
【図３】
2005280685.tif 000036
【図４】
2005280685.tif 000037
【図５】
2005280685.tif 000038
【図６】
2005280685.tif 000039